(57)【特許請求の範囲】
【請求項１】
中央のプレキャストコンクリート梁と、これの両側に位置するプレキャストコンクリート梁との間にプレキャストコンクリート板を複数設置し、これらのプレキャストコンクリート板上にトップコンクリートを打設して形成した床スラブであって、前記中央部のプレキャストコンクリート梁の少なくとも一方側のスラブには前記プレキャストコンクリート梁に隣接して凹部が形成され、該凹部には前記プレキャストコンクリート梁に沿って突出部が形成され、該突出部内に、前記スラブの他方側のスラブにおけるスラブ上端筋の主方向筋が折り曲げ配筋されたことを特徴とする床スラブ。
【請求項２】
前記プレキャストコンクリート梁をプレキャストコンクリート製の壁柱としたことを特徴とする請求項１に記載の床スラブ。
【請求項３】
請求項１の床スラブを備えたことを特徴とする構築物。
【発明の詳細な説明】
【０００１】
【発明の属する技術分野】
本発明は床スラブおよび構築物に関するものである。
【０００２】
【従来の技術】
近年における鉄筋コンクリート造の建物は、図６に示すように、床スラブがほとんどプレキャストコンクリート板２３で構築されており、この床スラブにはユニットバス等を設置するための凹部２４が形成されている。この凹部２４が梁２５に隣接して形成されている場合は、この部分にはスラブ上端筋２６の主方向筋２７が配筋できないため、梁２５内に折り曲げ配筋していた。
【０００３】
【発明が解決しようとする課題】
しかし、上記の梁が現場打ちコンクリートで構築される場合は、該梁内にスラブ上端筋の主方向筋を折り曲げ配筋できるが、梁をプレキャストコンクリートで構築した場合、またはプレキャストコンクリートの壁柱にした場合は、プレキャストコンクリート梁や壁柱にはスラブ上端筋の主方向筋を折り曲げて配筋できないという問題があった。
【０００４】
本発明はこれらの問題に鑑みてなされたものであり、その目的は、プレキャストコンクリート梁で床スラブを構築し、かつこのプレキャストコンクリート梁に隣接して凹部が形成された床スラブにおいて、前記凹部に配筋されるスラブ上端筋の主方向筋を折り曲げ配筋できる床スラブおよび構築物を提供することである。
【０００５】
【課題を解決するための手段】
以上の課題を解決するための手段は、床スラブが、中央のプレキャストコンクリート梁と、これの両側に位置するプレキャストコンクリート梁との間にプレキャストコンクリート板を複数設置し、これらのプレキャストコンクリート板上にトップコンクリートを打設して形成した床スラブであって、前記中央部のプレキャストコンクリート梁の少なくとも一方側のスラブには前記プレキャストコンクリート梁に隣接して凹部が形成され、該凹部には前記プレキャストコンクリート梁に沿って突出部が形成され、該突出部内に、前記スラブの他方側のスラブにおけるスラブ上端筋の主方向筋が折り曲げ配筋されたことを特徴とする。
また構築物が、請求項１の床スラブを備えたことを特徴とする。
【０００６】
凹部に形成された突出部内にスラブ上端筋の主方向筋が折り曲げ配筋できるので、プレキャストコンクリート梁を利用して凹部のある床スラブが構築できる。
【０００７】
凹部に形成された突出部がユニットバスの浴槽等を設置するための台座として使用される。
【０００８】
凹部が補強された床スラブを備えた構築物を構築できる。
【０００９】
【発明の実施の形態】
以下、本発明の床スラブの実施の形態を図面に基づいて説明する。図１は床スラブの断面図、図２は同平面図、図３は図１のａ−ａ線断面図である。
【００１０】
床スラブ１は、プレキャストコンクリート製の壁柱２間に設置された複合プレキャストコンクリート板３と、中空プレキャストコンクリート板４と、これらの上面に配筋されたスラブ上端筋５と、トップコンクリート６から構成されている。前記複合プレキャストコンクリート板３とは、図４に示すように、背の高いトラス筋９と背の低いトラス筋１１とが長さ方向で重ね配筋され、かつ背の高いトラス筋９間に軽量型枠２２が適宜間隔ごとに配設された薄肉ＰＣ板をいう（以下、複合薄肉ＰＣ板という）。一方、中空プレキャストコンクリート板４とは、図５に示すように、トラス筋２１間に軽量型枠２２が適宜間隔ごとに配設された薄肉ＰＣ板（以下、中空薄肉ＰＣ板という）をいう。
【００１１】
前記複合薄肉ＰＣ板３は２枚が隣接して設置され、これらの両板にわたって凹部７が形成されている。
【００１２】
凹部７は、図４に示すように、複合薄肉ＰＣ板３の二分割したエリアの一方のエリア８に配筋された背の高いトラス筋９と、他方のエリア１０に配筋された背の低いトラス筋１１との高低差もってトップコンクリート６が打設されて形成されている。
【００１３】
凹部７の深さは、背の高いトラス筋９と背の低いトラス筋１１の高低差によって決定され、例えば、凹部７を深くする場合は、背の高いトラス筋９をさらに高くする一方、背の低いトラス筋１１をさらに低くする。また凹部７の面積は、背の高いトラス筋９と背の低いトラス筋１１の長さによって決定され、例えば、凹部７の面積を大きくする場合は、背の低いトラス筋１１をさらに長くする一方、背の高いトラス筋９をさらに短くする。
【００１４】
上記の突出部１４は、壁柱２に沿って突設されているため、図１に示すように、ユニットバスの浴槽１５などを設置するための台座として使用することができる。
【００１５】
そして、複合薄肉ＰＣ板における背の低いトラス筋９上のスラブ上端筋５の主方向筋１２が、壁柱２をまたいで中空薄肉ＰＣ板４にまで配筋され、他方、中空薄肉ＰＣ板４のスラブ上端筋５の主方向筋１３が、壁柱２をまたいで凹部７の突出部１４に折り曲げ配筋されて、複合薄肉ＰＣ板３と中空薄肉ＰＣ４を連結している。
【００１６】
また複合薄肉ＰＣ板３に配筋された背の高いトラス筋９と、背の低いトラス筋１１は、中央部でラチス筋１６の２山以上の長さをもって重ね配筋されている。この重ね配筋は少なくともラチス筋１６の２山以上を重ね合わせている。この重ね合わせはトラス筋９、１１同士を横に添わせる以外に、図４の（２）に示すように、上下に重ね合わせることもできる。このことにより重ね合わせ部における強度をさらに強めることができるとともに、トラス筋９、１１同士を互いにずらして配筋する手間も省ける。
【００１７】
これらのトラス筋９、１１は、三角形状に配置された一本の上弦筋（トップ筋）１７と二本の下弦筋（下端筋）１８とが波形のラチス筋１６で接合された三角トラスであり、前記下弦筋１８がコンクリート板１９内の曲げ方向筋２０に接合されているとともに、上弦筋１７がコンクリート板１９上面に突出している。なお、トラス筋９、１１は、上記のようなものに限定されず、一本の上弦筋と一本の下弦筋を波型のラチス筋で接合したトラスであってもよい。
【００１８】
なお、複合薄肉ＰＣ板３、中空薄肉ＰＣ板４を前記壁柱２の代わりにプレキャストコンクリート梁に設置した場合も、前記と同様の構成となる。
【００１９】
また上記の床スラブを使用して鉄骨造、鉄筋コンクリート造および鉄骨鉄筋コンクリート造の構築物を構築すると、凹部７が補強された床スラブ１を備えた構築物となる。
【００２０】
【発明の効果】
凹部に形成された突出部内にスラブ上端筋の主方向筋が折り曲げ配筋できるので、プレキャストコンクリート梁を利用して床スラブを構築できる。
【００２１】
凹部に形成された突出部をユニットバスの浴槽等を設置するための台座として使用できる。
【００２２】
凹部が補強された床スラブの構築物が提供できる。
【図面の簡単な説明】
【図１】床スラブの断面図である。
【図２】床スラブの平面図である。
【図３】図１のａ−ａ線断面図である。
【図４】複合薄肉ＰＣ板の平面図である。
【図５】中空薄肉ＰＣ板の平面図である。
【図６】従来の床スラブの断面図である。
【符号の説明】
１  床スラブ
２  壁柱
３  複合薄肉ＰＣ板
４  中空薄肉ＰＣ板
５  スラブ上端筋
６  トップコンクリート
７  凹部
１１、１２  主方向筋
１４  突出部
【図１】
0003691948.tif 000002
【図２】
0003691948.tif 000003
【図３】
0003691948.tif 000004
【図４】
0003691948.tif 000005
【図５】
0003691948.tif 000006
【図６】
0003691948.tif 000007